(57)【要約】【課題】  本願発明は、ゴルフパターのフェースの本来の傾斜角に対してフェースが上を向いたり下を向いたりすることを防止するゴルフパターアタッチメント及びゴルフパターの本来のライ角に対してソールのヒール側が浮いたり、トゥー側が浮いたりすることを防止するゴルフパターアタッチメント並びにこれらのゴルパターアタッチメントを装着したゴルフパターを提供することを目的とする。【解決手段】  本願発明は、平行な２辺が同じ幅を有する２枚の板を上下に離して平行に配置したゴルフパターアタッチメントである。又、他の発明は、平行な２辺を有する天板と天板よりも幅広の平行な２辺を有する底板とを上下に離して平行に配置したゴルフパターアタッチメントである。【選択図】  図１
2006204721.tif 000002
【特許請求の範囲】
【請求項１】
ゴルフパターに装着されるゴルフパターアタッチメントであって、
両端部を結ぶ平行な２辺を有する天板と、
前記天板の平行な２辺の間隔と等しい間隔であって両端部を結ぶ平行な２辺を有する底板と、
前記天板の前記両端部と前記底板の前記両端部とをそれぞれ結ぶ２枚の側板と、を備え、
前記天板と前記底板とは平行で、前記底板の平行な２辺の中心線を含み且つ前記底板に垂直な面内に前記天板の平行な２辺の中心線が配置されていることを特徴とするゴルフパターアタッチメント。
【請求項２】
ゴルフパターに装着されるゴルフパターアタッチメントであって、
両端部を結ぶ平行な２辺を有する天板と、
前記天板の平行な２辺の間隔より広い間隔であって両端部を結ぶ平行な２辺を有する底板と、
前記天板の前記両端部と前記底板の前記両端部とをそれぞれ結ぶ２枚の側板と、を備え、
前記天板と前記底板とは平行で、前記底板の平行な２辺の中心線を含み且つ前記底板に垂直な面内に前記天板の平行な２辺の中心線が配置されていることを特徴とするゴルフパターアタッチメント。
【請求項３】
前記天板の上面と前記底板の上面とは異なる色であることを特徴とする請求項１又は２に記載のゴルフパターアタッチメント。
【請求項４】
ゴルフパターに装着されるゴルフパターアタッチメントであって、
平行な２辺の両端部を有する天板と、
前記天板の平行な２辺の間隔より広い間隔の平行な２辺の両端部を有する底板と、
前記天板の前記両端部と前記底板の前記両端部とをそれぞれ結ぶ２枚の側板と、を備え、
前記天板と前記底板とは平行で、前記底板の平行な２辺の中心線を含み且つ前記底板に垂直な面内に前記天板の平行な２辺の中心線が配置されていることを特徴とするゴルフパターアタッチメント。
【請求項５】
前記天板の上面と前記側板の外側の面とは異なる色であることを特徴とする請求項４に記載のゴルフパターアタッチメント。
【請求項６】
前記２枚の側板は、上辺と下辺が平行線となる孔部又は凹部を備えることを特徴とする請求項４又は５に記載のゴルフパターアタッチメント。
【請求項７】
前記天板の上面と前記下辺を含む面とは異なる色であることを特徴とする請求項６に記載のゴルフパターアタッチメント。
【請求項８】
前記天板の上面に、略ゴルフボールの直径と等しい間隔の２本の平行線模様を有することを特徴とする請求項１から７に記載のいずれかのゴルフパターアタッチメント。
【請求項９】
請求項１から８に記載のいずれかのゴルフパターアタッチメントをゴルフパターのクラウン面に装着したゴルフパター。
【発明の詳細な説明】
【技術分野】
【０００１】
本発明は、ゴルフのプレーに使用するゴルフパターに装着するゴルフパターアタッチメント及び当該ゴルフパターアタッチメントをパターヘッド上面に装着したゴルフパターに関する。
【背景技術】
【０００２】
ゴルフパターでゴルフボールをホールに向かって打つために、ゴルフパターのヘッドの方向をパッティングラインに合わせて打ち出す。このとき打ち出す方向の軸だけでなく、他の２軸についても再現性よく、正確に合わせなければならない。ゴルフパターのフェースが打ち出す方向に正しく向いていたとしても、ゴルフパターのフェースの本来の傾斜角に対してフェースが上を向いたり下を向いたりするとゴルフボールに目指す打ち出し速度や回転が与えられず、ゴルフボールが狙った距離を転がらない。また、ゴルフパターの本来のライ角に対してソールのヒール側が浮いたり、トゥー側が浮いたりすると、ゴルフパターのヘッドのフェースの持つロフトによって、ゴルフボールを打ち出す方向が狂ってしまう。
【０００３】
従来のゴルフパターでは、フェースを打ち出す方向に合わせるための技術は開示されているが（例えば、特許文献１参照。）、本来の傾斜角に対してフェースが上を向いたり下を向いたりすることを防止する技術及び本来のライ角に対してゴルフパターのソールのヒール側が浮いたり、トゥー側が浮いたりすることを防止する技術は開示されていない。
【０００４】
【特許文献１】特開平８−２１５３５７号公報
【発明の開示】
【発明が解決しようとする課題】
【０００５】
そこで、本願発明は、ゴルフパターのフェースの本来の傾斜角に対してフェースが上を向いたり下を向いたりすることを防止するゴルフパターアタッチメント及びゴルフパターの本来のライ角に対してソールのヒール側が浮いたり、トゥー側が浮いたりすることを防止するゴルフパターアタッチメント並びにこれらのゴルパターアタッチメントを装着したゴルフパターを提供することを目的とする。
【課題を解決するための手段】
【０００６】
上記目的を達成するために、本願第一発明は、両端部を結ぶ平行な２辺が同じ幅を有する２枚の板を上下に離して平行に配置したゴルフパターアタッチメントである。
【０００７】
具体的には、本願第一発明は、ゴルフパターに装着されるゴルフパターアタッチメントであって、両端部を結ぶ平行な２辺を有する天板と、前記天板の平行な２辺の間隔と等しい間隔であって、両端部を結ぶ平行な２辺を有する底板と、前記天板の前記両端部と前記底板の前記両端部とをそれぞれ結ぶ２枚の側板と、を備え、前記天板と前記底板とは平行で、前記底板の平行な２辺の中心線を含み且つ前記底板に垂直な面内に前記天板の平行な２辺の中心線が配置されていることを特徴とするゴルフパターアタッチメントである。
【０００８】
ここで、平行な２辺の中心線とは、平行な２辺の真ん中を通る線のことをいう。以下の説明でも同様である。
【０００９】
このようなゴルフパターアタッチメントをゴルフパターのクラウンに装着して、装着したゴルフパターアタッチメントを上から見れば、人間の両目の視差によって天板の平行な２辺の外側に底板が見える。天板の平行な２辺の外側に底板が均等に見えると、ゴルフパターのフェースが本来の傾斜角で保持されていることになる。従って、天板の平行な２辺の外側に底板が均等に見えるようにゴルフパターのフェースの傾きを調整することによって、ゴルフパターのフェースの本来の傾斜角に対してフェースが上を向いたり下を向いたりすることを防止することができる。
【００１０】
本願第二発明は、両端部を結ぶ平行な２辺を有する天板と天板よりも幅広の平行な２辺を有する底板とを上下に離して平行に配置したゴルフパターアタッチメントである。
【００１１】
具体的には、本願第二発明は、ゴルフパターに装着されるゴルフパターアタッチメントであって、両端部を結ぶ平行な２辺を有する天板と、前記天板の平行な２辺の間隔より広い間隔であって、両端部を結ぶ平行な２辺を有する底板と、前記天板の前記両端部と前記底板の前記両端部とをそれぞれ結ぶ２枚の側板と、を備え、前記天板と前記底板とは平行で、前記底板の平行な２辺の中心線を含み且つ前記底板に垂直な面内に前記天板の平行な２辺の中心線が配置されていることを特徴とするゴルフパターアタッチメントである。
【００１２】
このようなゴルフパターアタッチメントをゴルフパターのクラウンに装着して、装着したゴルフパターアタッチメントを上から見れば、天板の平行な２辺の外側に底板が見える。天板の平行な２辺の外側に底板が均等に見えると、ゴルフパターのフェースが本来の傾斜角で保持されていることになる。従って、天板の平行な２辺の外側に底板が均等に見えるようにゴルフパターのフェースの傾きを調整することによって、ゴルフパターのフェースの本来の傾斜角に対してフェースが上を向いたり下を向いたりすることを防止することができる。
【００１３】
本願第一発明又は第二発明において、前記天板の上面と前記底板の上面とは異なる色であることが好ましい。
【００１４】
ここで、天板の上面とは、天板の面であって、底板側とは逆の面をいう。以下の説明でも同様である。
【００１５】
また、底板の上面とは、底板の面であって、天板側の面をいう。以下の説明でも同様である。
【００１６】
このようなゴルフパターアタッチメントをゴルフパターのクラウンに装着して、装着したゴルフパターアタッチメントを上から見れば、天板の平行な２辺の外側に異なる色の底板が見える。従って、天板の平行な２辺の外側に底板の面が均等に見えるようにゴルフパターのフェースの傾きを調整することが容易になり、ゴルフパターのフェースの本来の傾斜角に対してフェースが上を向いたり下を向いたりすることを防止することができる。
【００１７】
本願第三発明は、平行な２辺の両端部を有する天板と天板よりも長辺が長い底板とを上下に離して平行に配置し、天板の両端部と底板の両端部とをそれぞれ結ぶ２枚の側板を配置
したゴルフパターアタッチメントである。
【００１８】
具体的には、本願第三発明は、ゴルフパターに装着されるゴルフパターアタッチメントであって、平行な２辺の両端部を有する天板と、前記天板の平行な２辺の間隔より広い間隔の平行な２辺の両端部を有する底板と、前記天板の前記両端部と前記底板の前記両端部とをそれぞれ結ぶ２枚の側板と、を備え、前記天板と前記底板とは平行で、前記底板の平行な２辺の中心線を含み且つ前記底板に垂直な面内に前記天板の平行な２辺の中心線が配置されていることを特徴とするゴルフパターアタッチメントである。
【００１９】
このようなゴルフパターアタッチメントをゴルフパターのクラウンに装着して、装着したゴルフパターアタッチメントを上から見れば、天板の平行な両端の外側に側板が見える。天板の平行な両端の外側に側板が均等に見えると、ゴルフパターのフェースが本来のライ角で保持されていることになる。従って、天板の平行な両端の外側に側板が均等に見えるようにゴルフパターのライを調整することによって、ゴルフパターの本来のライ角に対してソールのヒール側が浮いたり、トゥー側が浮いたりすることを防止することができる。
【００２０】
本願第三発明において、前記天板の上面と前記側板の外側の面とは異なる色であることが好ましい。
【００２１】
ここで、側板の外側の面とは、側板の面であって、天板、底板、側板で形成されるゴルフパターアタッチメントの外側の面をいう。以下の説明でも同様である。
【００２２】
このようなゴルフパターアタッチメントをゴルフパターのクラウンに装着して、装着したゴルフパターアタッチメントを上から見れば、天板の平行な両端の外側に異なる色の側板の外側の面が見える。従って、天板の平行な両端の外側に両側板の外側の面が均等に見えるようにゴルフパターのライを調整することが容易になり、ゴルフパターの本来のライ角に対してソールのヒール側が浮いたり、トゥー側が浮いたりすることを防止することができる。
【００２３】
本願第三発明において、２枚の側板は、上辺と下辺が平行線となる孔部又は凹部を備えてもよい。
【００２４】
このようなゴルフパターアタッチメントをゴルフパターのクラウンに装着して、装着したゴルフパターアタッチメントを上から見れば、側板の孔部又は凹部の上辺の外側に下辺の面が見える。上辺の外側に両側板の下辺の面が均等に見えると、ゴルフパターのフェースが本来のライ角で保持されていることになる。従って、側板の孔部又は凹部の上辺の外側に両側板の下辺の面が均等に見えるようにゴルフパターのライを調整することによって、ゴルフパターの本来のライ角に対してソールのヒール側が浮いたり、トゥー側が浮いたりすることを防止することができる。
【００２５】
本願第三発明において、前記天板の上面と前記下辺を含む面とは異なる色であることが好ましい。
【００２６】
ここで、下辺を含む面とは、前述した孔部又は凹部の面であって、底板側の面をいう。以下の説明でも同様である。
【００２７】
このようなゴルフパターアタッチメントをゴルフパターのクラウンに装着して、装着したゴルフパターアタッチメントを上から見れば、側板の孔部又は凹部の上辺の外側に異なる色の下辺の面が見える。従って、側板の孔部又は凹部の上辺の外側に両側板の下辺の面が均等に見えるようにゴルフパターのライを調整することが容易になり、ゴルフパターの本来のライ角に対してソールのヒール側が浮いたり、トゥー側が浮いたりすることを防止することができる。
【００２８】
本願第一発明から第三発明において、前記天板の上面に、略ゴルフボールの直径と等しい間隔の２本の平行線模様を有することが好ましい。
【００２９】
このようなゴルフパターアタッチメントをゴルフパターのクラウンに装着して、装着したゴルフパターアタッチメントを上から見れば、ゴルフボールの当てる位置を正確に把握することが可能になる。
【００３０】
ここで、ゴルフボールの直径とは、日本ゴルフ協会が規則で定めるゴルフボールの最小直径をいう。具体的には、４２．６７ミリである。
【００３１】
本願第四発明は、前述した本願発明のゴルフパターアタッチメントをゴルフパターのクラウン面に装着したゴルフパターである。
【００３２】
すでに製造されたゴルフパターに前述した本願発明のゴルフパターアタッチメントを装着してもよいし、ゴルフパターのヘッドを前述した本願発明のゴルフパターアタッチメントを一体化した形状、構造としてもよい。ゴルフパターアタッチメントを一体化した形状、構造のときは、底板はヘッドと独立していなくても、ゴルフパターのクラウン面に模様として視覚上認識できればよい。
【発明の効果】
【００３３】
本願発明のゴルフパターアタッチメントは、ゴルフパターのフェースの本来の傾斜角に対してフェースが上を向いたり下を向いたりすることを防止することができる。又はゴルフパターの本来のライ角に対してソールのヒール側が浮いたり、トゥー側が浮いたりすることを防止することができる。本願発明のゴルパターアタッチメントを装着したゴルフパターは、これらの発明の効果を奏する。
【発明を実施するための最良の形態】
【００３４】
以下、本願発明のゴルフパターアタッチメント及び当該ゴルフパターアタッチメントを装着したゴルフパターについて詳細に説明するが、本願発明は以下の記載に限定して解釈されない。
【００３５】
（第１実施形態）
本実施形態は、両端部を結ぶ平行な２辺が同じ幅を有する２枚の板を上下に離して平行に配置したゴルフパターアタッチメント、又は両端部を結ぶ平行な２辺を有する天板と天板よりも幅広の平行な２辺を有する底板とを上下に離して平行に配置したゴルフパターアタッチメントである。
【００３６】
図１にゴルフパターアタッチメントの例の斜視図を示す。図１において、１０はゴルフパターアタッチメント、１１は天板、１２は底板、１３及び１４は側板、２１は天板の上面、２２は底板の上面、２１ａ及び２１ｂはそれぞれ天板１１の平行な２辺、２２ａ及び２２ｂはそれぞれ底板１２の平行な２辺である。図１においては、底板１２に対して天板１１の方を上側として説明する。
【００３７】
図１のゴルフパターアタッチメント１０は、両端部を結ぶ平行な２辺２１ａ及び２１ｂを有する天板１１と、天板１１の平行な２辺２１ａ及び２１ｂの間隔と等しい間隔であって、両端部を結ぶ平行な２辺２２ａ及び２２ｂを有する底板１２と、天板１１の両端部と底板１２の両端部とをそれぞれ結ぶ２枚の側板１３及び１４とを備えている。天板１１と底板１２とは平行で、底板１２の平行な２辺２２ａ及び２２ｂの中心線を含み且つ底板１２に垂直な面内に天板１１の平行な２辺２１ａ及び２１ｂの中心線が配置されている。
【００３８】
図１において、天板１１の側板１３及び１４の結合していない２辺２１ａ及び２１ｂと底板１２の側板１３及び１４の結合していない２辺２２ａ及び２２ｂとがそれぞれ平行で、ゴルフパターアタッチメント１０の天板１１の真上から見て、天板１１の平行な２辺２１ａ及び２１ｂと底板１２の平行な２辺２２ａ及び２２ｂが重なっていればよい。
【００３９】
図１において、天板１１の平行な２辺２１ａ及び２１ｂの間隔は、人間の両目の間隔よりも狭いことが望ましい。人間の両目の視差を利用すると、天板１１の上から見た場合に、底板の上面２２が天板の上面２１の両側からはみ出た幅が均等に見える。
【００４０】
図１においては、側板１３と側板１４とは平行になっているが、必ずしも平行である必要はない。また、天板１１の側板１３及び１４の結合している両端及び底板１２の側板１３及び１４の結合している両端は４辺が平行になっているが、必ずしも平行である必要はない。
【００４１】
図２にゴルフパターアタッチメントの他の例の斜視図を示す。図２において、１０はゴルフパターアタッチメント、１１は天板、１２は底板、１３及び１４は側板、２１は天板の上面、２２は底板の上面、２１ａ及び２１ｂはそれぞれ天板１１の平行な２辺、２２ａ及び２２ｂはそれぞれ底板１２の平行な２辺である。図２においては、底板１２に対して天板１１の方を上側として説明する。
【００４２】
図２のゴルフパターアタッチメント１０は、両端部を結ぶ平行な２辺２１ａ及び２１ｂを有する天板１１と、天板１１の平行な２辺２１ａ及び２１ｂの間隔より広い間隔であって、両端部を結ぶ平行な２辺２２ａ及び２２ｂを有する底板１２と、天板１１の両端部と底板１２の両端部とをそれぞれ結ぶ２枚の側板１３及び１４とを備えている。天板１１と底板１２とは平行で、底板１２の平行な２辺２２ａ及び２２ｂの中心線を含み且つ底板１２に垂直な面内に天板１１の平行な２辺２１ａ及び２１ｂの中心線が配置されている。
【００４３】
図２において、天板１１の側板１３及び１４の結合していない２辺２１ａ及び２１ｂと底板１２の側板１３及び１４の結合していない２辺２２ａ及び２２ｂとがそれぞれ平行で、ゴルフパターアタッチメント１０の天板１１の真上から見て、天板１１の平行な２辺２１ａ及び２１ｂに対して、底板の平行な２辺２２ａ及び２２ｂが両側に均等に外側になるように配置されていればよい。このように配置すると、天板１１の上から見た場合に、底板の上面２２が天板の上面２１の両側からはみ出た幅が均等に見える。
【００４４】
図２においては、側板１３と側板１４とは平行になっているが、必ずしも平行である必要はない。また、天板１１の側板１３及び１４の結合している両端及び底板１２の側板１３及び１４の結合している両端は４辺が平行になっているが、必ずしも平行である必要はない。
【００４５】
図１で説明したゴルフパターアタッチメント１０をゴルフパターのクラウン面に装着した例を図３及び図４に示す。但し、図３において、図１で説明したゴルフパターアタッチメント１０に平行線模様２５を付加している。図４は、図３のＡ−Ａ’線における断面図である。図３、図４において、１０はゴルフパターアタッチメント、１１は天板、１２は底板、２１は天板の上面、２２は底板の上面、２５は平行線模様、３１はヘッド、３２はシャフト穴、３３はゴルフボール、２１ａ及び２１ｂはそれぞれ天板１１の平行な２辺、２２ａ及び２２ｂはそれぞれ底板１２の平行な２辺である。図３及び図４においては、底板１２に対して天板１１の方を上側として説明する。
【００４６】
図３において、図１で説明したゴルフパターアタッチメント１０の底板１２がゴルフパターのクラウン面に密着するように装着されている。人間がゴルフパターを持ったときに、ゴルフパターのクラウン面が水平になるように設計されていれば、装着したゴルフパターアタッチメント１０を上から見ると、図３に示すように人間の両目の視差によって天板の上面２１の外側に底板の上面２２が見える。天板の上面２１の両側に底板の上面２２のはみ出た幅が均等に見えると、図４に示すようにゴルフパターのフェースが本来の傾斜角で保持されていることになる。
【００４７】
ここで、天板の上面２１と底板の上面２２とは異なる色であると、ゴルフパターアタッチメント１０を上から見れば、天板の平行な２辺２１ａ及び２１ｂの外側に異なる色の底板の上面が見える。色で区別するために、天板の上面２１の外側に見える底板の上面２２の識別が容易になる。
【００４８】
従って、天板の上面の両側に底板の上面が均等に見えるようにゴルフパターのフェースの傾きを調整することによって、ゴルフパターのフェースの本来の傾斜角に対してフェースが上を向いたり下を向いたりすることを防止することができる。
【００４９】
図２で説明したゴルフパターアタッチメント１０をゴルフパターのクラウン面に装着しても同様である。図２で説明したゴルフパターアタッチメント１０の底板１２がゴルフパターのクラウン面に密着するように装着すると、人間がゴルフパターを持ったときに、ゴルフパターのクラウン面が水平になるように設計されていれば、装着したゴルフパターアタッチメント１０を上から見ると、天板の上面２１の外側に底板の上面２２が見える。天板の上面２１の両側に底板の上面２２のはみ出た幅が均等に見えると、図４に示すようにゴルフパターのフェースが本来の傾斜角で保持されていることになる。
【００５０】
ここで、図２に示すゴルフパターアタッチメント１０の天板の上面２１と底板の上面２２とは異なる色であると、ゴルフパターアタッチメント１０を上から見れば、天板１１の平行な２辺２１ａ及び２１ｂの外側に異なる色の底板の上面２２が見える。色で区別するために、天板の上面２１の外側に見える底板の上面２２の識別が容易になる。
【００５１】
また、図３において、天板の上面２１は、略ゴルフボールの直径と等しい間隔の２本の平行線模様２５を有している。平行線模様は塗られたものでも、溝状に彫られたものでもよい。以下平行線模様でも同様である。
【００５２】
このようなゴルフパターアタッチメントを上から見れば、ゴルフボールの当てる位置を正確に把握することが可能になる。図２で説明したゴルフパターアタッチメント１０をゴルフパターのクラウン面に装着しても同様である。
【００５３】
（第２実施形態）
本実施形態は、平行な２辺の両端を有する天板と天板よりも両端の間隔が広い平行な２辺の両端を有する底板を上下に離して平行に配置したゴルフパターアタッチメントである。
【００５４】
図５にゴルフパターアタッチメントの例の斜視図を示す。図５において、１０はゴルフパターアタッチメント、１１は天板、１２は底板、１３及び１４は側板、２１は天板の上面、２２は底板の上面、２３は側板１３の外側の面、２４は側板１４の外側の面、２１ｃ及び２１ｄはそれぞれ天板１１の両端の平行な２辺、２２ｃ及び２２ｄはそれぞれ底板１２の両端の平行な２辺である。図５においては、底板１２に対して天板１１の方を上側として説明する。
【００５５】
図５のゴルフパターアタッチメント１０は、平行な２辺２１ｃ及び２１ｄの両端部を有する天板１１と、天板１１の平行な２辺２１ｃ及び２１ｄの間隔より広い間隔の平行な２辺２２ｃ及び２２ｄの両端部を有する底板１２と、天板１１の両端部と底板１２の両端部とをそれぞれ結ぶ２枚の側板１３及び１４とを備えている。天板１１と底板１２とは平行で、底板１２の平行な２辺２２ｃ及び２２ｄの中心線を含み且つ底板１２に垂直な面内に天板１１の平行な２辺２１ｃ及び２１ｄの中心線が配置されている。なお、図５において、辺２２ｃは見えないため、線を省略している。
【００５６】
図５において、天板１１の側板１３及び１４の結合している２辺２１ｃ及び２１ｄと底板１２の側板１３及び１４の結合している２辺２２ｃ及び２２ｄとがそれぞれ平行で、ゴルフパターアタッチメントの天板１１の真上から見て、天板１１の両端の平行な２辺２１ｃ及び２１ｄに対して、底板の両端部の平行な２辺２２ｃ及び２２ｄが両側に均等に外側になるように配置されていればよい。このように配置すると、天板１１の上から見た場合に、側板の外側の面２３及び２４の長さが天板の上面２１の両端部から均等に見える。
【００５７】
図５においては、天板１１の側板１３及び１４の結合していない両側及び底板１２の側板１３及び１４の結合していない両側は４辺が平行になっているが、必ずしも平行である必要はない。
【００５８】
図５で説明したゴルフパターアタッチメント１０をゴルフパターのクラウン面に装着した例を図６及び図７に示す。但し、図６及び図７において、図５で説明したゴルフパターアタッチメント１０に平行線模様２５を付加している。図７は、図６のＢ−Ｂ’線における断面図である。図６及び図７において、１０はゴルフパターアタッチメント、１１は天板、１２は底板、２１は天板の上面、２２は底板の上面、２３は側板１３の外側の面、２４は側板１４の外側の面、２５は平行線模様、３１はヘッド、３２はシャフト穴、３３はゴルフボール、２１ｃ及び２１ｄはそれぞれ天板１１の両端部の平行な２辺、２２ｃ及び２２ｄはそれぞれ底板１２の両端部の平行な２辺である。図６及び図７においては、底板１２に対して天板１１の方を上側として説明する。
【００５９】
図６において、図５で説明したゴルフパターアタッチメント１０の底板１２がゴルフパターのクラウン面に密着するように装着されている。人間がゴルフパターを持ったときに、ゴルフパターのクラウン面が水平になるように設計されていれば、装着したゴルフパターアタッチメント１０を上から見ると、図６に示すように天板の上面２１の両端部の外側に側板１３及び１４が見える。天板の上面２１の両端部の外側に側板１３及び１４の見える長さが均等であると、図７に示すようにゴルフパターのヘッドが本来のライ角で保持されていることになる。
【００６０】
ここで、天板の上面２１と側板１３及び１４の外側の面とは異なる色であると、ゴルフパターアタッチメント１０を上から見れば、天板の両端部の平行な２辺２１ｃ及び２１ｄの外側に異なる色の側板１３及び１４が見える。色で区別するために、天板の上面２１の外側に見える底板の上面２２の識別が容易になる。
【００６１】
従って、天板の上面の両端部の外側に側板が均等に見えるようにゴルフパターのライを調整することによって、ゴルフパターの本来のライ角に対してソールのヒール側が浮いたり、トゥー側が浮いたりすることを防止することができる。
【００６２】
また、図６において、天板の上面２１に、略ゴルフボールの直径と等しい間隔の２本の平行線模様２５を有している。
【００６３】
このようなゴルフパターアタッチメントを上から見れば、ゴルフボールの当てる位置を正確に把握することが可能になる。
【００６４】
（第３実施形態）
本実施形態は、長方形の天板と天板よりも縦長幅広の長方形の底板とを上下に離して平行に配置したゴルフパターアタッチメントである。
【００６５】
図８にゴルフパターアタッチメントの例の斜視図を示す。図８において、１０はゴルフパターアタッチメント、１１は天板、１２は底板、１３及び１４は側板、２１は天板の上面、２２は底板の上面、２１ａ及び２１ｂはそれぞれ天板１１の平行な２辺、２１ｃ及び２１ｄはそれぞれ天板１１の両端の平行な２辺、２２ａ及び２２ｂはそれぞれ底板１２の平行な２辺、２２ｃ及び２２ｄはそれぞれ底板１２の両端の平行な２辺である。図８においては、底板１２に対して天板１１の方を上側として説明する。
【００６６】
図８のゴルフパターアタッチメント１０は、両端部を結ぶ平行な２辺２１ａ及び２１ｂ並びに平行な２辺２１ｃ及び２１ｄの両端部を有する天板１１と、天板１１の平行な２辺２１ａ及び２１ｂの間隔より広い間隔であって、両端部を結ぶ平行な２辺２２ａ及び２２ｂ並びに天板１１の平行な２辺２１ｃ及び２１ｄの間隔より広い間隔の平行な２辺２２ｃ及び２２ｄの両端部を有する底板１２と、天板１１の両端部と底板１２の両端部とをそれぞれ結ぶ２枚の側板１３及び１４とを備えている。天板１１と底板１２とは平行で、底板１２の平行な２辺２２ａ及び２２ｂの中心線を含み且つ底板１２に垂直な面内に天板１１の平行な２辺２１ａ及び２１ｂの中心線が配置され、底板１２の平行な２辺２２ｃ及び２２ｄの中心線を含み且つ底板１２に垂直な面内に天板１１の平行な２辺２１ｃ及び２１ｄの中心線が配置されている。
【００６７】
つまり、長方形の天板１１と天板１１よりも縦長幅広の長方形の底板１２が側板１３及び１４で結ばれ、天板１１の長方形の各辺と底板１２の長方形の対応する各辺が平行で、且つ天板１１の長方形の中心を通る垂線に底板１２の長方形の中心が配置されている。
【００６８】
図８において、辺２１ａと辺２２ａ、辺２１ｂと辺２２ｂ、辺２１ｃと辺２２ｃ及び辺２１ｄと２２ｄがそれぞれ平行で、ゴルフパターアタッチメント１０の天板１１の真上から見て、天板１１の平行な２辺２１ａ及び２１ｂに対して、底板の平行な２辺２２ａ及び２２ｂが両側に均等に外側になるように配置され、天板１１の両端の平行な２辺２１ｃ及び２１ｄに対して、底板の両端の平行な２辺２２ｃ及び２２ｄが両側に均等に外側になるように配置されていればよい。このように配置すると、天板１１の上から見た場合に、底板の上面２２が天板の上面２１の両側からはみ出た幅が均等で、側板の外側の面２３及び２４の長さが天板の上面２１の両端から均等に見える。
【００６９】
ここで、天板の上面２１と底板の上面２２とは異なる色であると、ゴルフパターアタッチメント１０を上から見れば、天板の平行な２辺２１ａ及び２１ｂの外側に異なる色の底板の上面が見える。色で区別するために、天板の上面２１の外側に見える底板の上面２２の識別が容易になる。また、天板の上面２１と側板１３及び１４の外側の面２３及び２４とは異なる色であると、ゴルフパターアタッチメント１０を上から見れば、天板の両端の平行な２辺２１ｃ及び２１ｄの外側に異なる色の側板１３及び１４が見える。色で区別するために、天板の上面２１の外側に見える底板の上面２２の識別が容易になる。
【００７０】
従って、天板の上面の両側に底板の上面が均等に見えるようにゴルフパターのフェースの傾きを調整することによって、ゴルフパターのフェースの本来の傾斜角に対してフェースが上を向いたり下を向いたりすることを防止することができ、天板の上面の両端の外側に側板が均等に見えるようにゴルフパターのライを調整することによって、ゴルフパターの本来のライ角に対してソールのヒール側が浮いたり、トゥー側が浮いたりすることを防止することができる。
【００７１】
（第４実施形態）
本実施形態は、長方形の天板と天板よりも縦長幅広の長方形の底板とを上下に離して平行に配置し、側板に孔を備えるゴルフパターアタッチメントである。ここでは、側板に孔を備える形態について説明するが、側板に凹部を備える場合も同様である。
【００７２】
図９にゴルフパターアタッチメントの例の斜視図を示す。図９において、１０はゴルフパターアタッチメント、１１は天板、１２は底板、１３及び１４は側板、１５及び１６は孔部、２１は天板の上面、２２は底板の上面、２１ａ及び２１ｂはそれぞれ天板１１の平行な２辺、２１ｃ及び２１ｄはそれぞれ天板１１の両端の平行な２辺、２２ａ及び２２ｂはそれぞれ底板１２の平行な２辺、２２ｃ及び２２ｄはそれぞれ底板１２の両端の平行な２辺、１５ａは孔部１５の上辺、１５ｂは孔部１５の下辺、１６ａは孔部１６の上辺、１６ｂは孔部１６の下辺である。図９においては、底板１２に対して天板１１の方を上側として説明する。
【００７３】
図９のゴルフパターアタッチメント１０は、両端部を結ぶ平行な２辺２１ａ及び２１ｂ並びに平行な２辺２１ｃ及び２１ｄの両端部を有する天板１１と、天板１１の平行な２辺２１ａ及び２１ｂの間隔より広い間隔であって、両端部を結ぶ平行な２辺２２ａ及び２２ｂ並びに天板１１の平行な２辺２１ｃ及び２１ｄの間隔より広い間隔の平行な２辺２２ｃ及び２２ｄの両端部を有する底板１２と、天板１１の両端部と底板１２の両端部とをそれぞれ結ぶ２枚の側板１３及び１４とを備えている。天板１１と底板１２とは平行で、底板１２の平行な２辺２２ａ及び２２ｂの中心線を含み且つ底板１２に垂直な面内に天板１１の平行な２辺２１ａ及び２１ｂの中心線が配置され、底板１２の平行な２辺２２ｃ及び２２ｄの中心線を含み且つ底板１２に垂直な面内に天板１１の平行な２辺２１ｃ及び２１ｄの中心線が配置されている。
【００７４】
つまり、長方形の天板１１と天板１１よりも縦長幅広の長方形の底板１２が側板１３及び１４で結ばれ、天板１１の長方形の各辺と底板１２の長方形の対応する各辺が平行で、且つ天板１１の長方形の中心を通る垂線に底板１２の長方形の中心が配置されている。
【００７５】
さらに、上辺１５ａと下辺１５ｂが平行な孔部１５及び上辺１６ａと下辺１６ｂが平行な孔部１６を備えている。ここでは、上辺１５ａ及び上辺１６ａは、天板１１の下面の面上になるように構成され、下辺１５ｂ及び下辺１６ｂは、底板の上面２２の面上になるように構成されている。
【００７６】
図９で説明したゴルフパターアタッチメント１０をゴルフパターのクラウン面に装着した例を図１０、図１１及び図１２に示す。但し、図１０及び図１２において、図９で説明したゴルフパターアタッチメントに平行線模様２５を付加している。図１１は、図１０のＣ−Ｃ’線における断面図、図１２は、図１０のＤ−Ｄ’線における断面図である。図１０、図１１及び図１２において、１０はゴルフパターアタッチメント、１１は天板、１２は底板、１３及び１４は側板、１５及び１６は孔部、２１は天板の上面、２２は底板の上面、２５は平行線模様、３１はヘッド、３２はシャフト穴、３３はゴルフボール、１５ａは孔部１５の上辺、１５ｂは孔部１５の下辺、１６ａは孔部１６の上辺、１６ｂは孔部１６の下辺、２１ａ及び２１ｂはそれぞれ天板１１の平行な２辺である。図１０、図１１及び図１２においては、底板１２に対して天板１１の方を上側として説明する。
【００７７】
図１０において、図９で説明したゴルフパターアタッチメント１０の底板１２がゴルフパターのクラウン面に密着するように装着されている。人間がゴルフパターを持ったときに、ゴルフパターのクラウン面が水平になるように設計されていれば、装着したゴルフパターアタッチメント１０を上から見ると、図１０に示すように天板の上面２１の外側に底板の上面２２が見える。天板の上面２１の両側に底板の上面２２のはみ出た幅が均等に見えると、図１１に示すようにゴルフパターのフェースが本来の傾斜角で保持されていることになる。
【００７８】
ここで、天板の上面２１と底板の上面２２とは異なる色であると、ゴルフパターアタッチメント１０を上から見れば、天板の平行な２辺２１ａ及び２１ｂの外側に異なる色の底板の上面２２が見える。色で区別するために、天板の上面２１の外側に見える底板の上面２２の識別が容易になる。
【００７９】
また、図１０に示すように天板の上面２１の両端の外側に側板１３及び１４に設けられた孔部１５及び１６が見える。
天板の上面２１の両端の外側から孔部の下辺１５ｂ及び１６ｂまでのそれぞれの距離が均等であると、図１２に示すようにゴルフパターのヘッドが本来のライ角で保持されていることになる。
【００８０】
ここで、天板の上面２１と下辺１５ｂ又は１６ｂを含む面とは異なる色であると、ゴルフパターアタッチメント１０を上から見れば、天板の上面２１の外側に異なる色の下辺１５ｂ又は１６ｂを含む面が見える。色で区別するために、天板の上面２１の外側に見える下辺１５ｂ又は１６ｂを含む面の識別が容易になる。
【００８１】
従って、天板の上面の両側に底板の上面が均等に見えるようにゴルフパターのフェースの傾きを調整することによって、ゴルフパターのフェースの本来の傾斜角に対してフェースが上を向いたり下を向いたりすることを防止することができ、天板の上面の両端の外側に孔部の下辺を含む面が均等に見えるようにゴルフパターのライを調整することによって、ゴルフパターの本来のライ角に対してソールのヒール側が浮いたり、トゥー側が浮いたりすることを防止することができる。
【００８２】
ここでは、側板に孔を備える形態について説明したが、側板に凹部を備える場合も同様である。
【００８３】
以上の実施形態では、ゴルフパターのヘッドにゴルフパターアタッチメントを装着する例について説明したが、ゴルフパターのヘッドにゴルフパターアタッチメントを一体化した形状、構造としてもよい。ゴルフパターのヘッドにゴルフパターアタッチメントを一体化した形状、構造のときは、底板はヘッドと独立していなくても、ゴルフパターのクラウン面に模様又は色の違いとして視覚上認識できればよい。
【産業上の利用可能性】
【００８４】
本発明のゴルフパターアタッチメントは、ゴルフパターに装着して利用することができる。
【図面の簡単な説明】
【００８５】
【図１】ゴルフパターアタッチメントの例の斜視図である。
【図２】ゴルフパターアタッチメントの例の斜視図である。
【図３】ゴルフパターアタッチメントをゴルフパターのクラウン面に装着した例を説明する図である。
【図４】ゴルフパターアタッチメントをゴルフパターのクラウン面に装着した例を説明する断面図である。
【図５】ゴルフパターアタッチメントの例の斜視図である。
【図６】ゴルフパターアタッチメントをゴルフパターのクラウン面に装着した例を説明する図である。
【図７】ゴルフパターアタッチメントをゴルフパターのクラウン面に装着した例を説明する断面図である。
【図８】ゴルフパターアタッチメントの例の斜視図である。
【図９】ゴルフパターアタッチメントの例の斜視図である。
【図１０】ゴルフパターアタッチメントをゴルフパターのクラウン面に装着した例を説明する図である。
【図１１】ゴルフパターアタッチメントをゴルフパターのクラウン面に装着した例を説明する断面図である。
【図１２】ゴルフパターアタッチメントをゴルフパターのクラウン面に装着した例を説明する断面図である。
【符号の説明】
【００８６】
１０：ゴルフパターアタッチメント
１１：天板
１２：底板
１３、１４：側板
１５、１６：孔部
１５ａ：孔部１５の上辺
１５ｂ：孔部１５の下辺
１６ａ：孔部１６の上辺
１６ｂ：孔部１６の下辺
２１：天板の上面
２２：底板の上面
２１ａ、２１ｂ：天板１１の平行な２辺
２１ｃ、２１ｄ：天板１１の両端の平行な２辺
２２ａ、２２ｂ：底板１２の平行な２辺
２２ｃ、２２ｄ：底板１２の両端の平行な２辺
２３、２４：側板の外側の面
２５：平行線模様
３１：ゴルフパターのヘッド
３２：シャフト穴
３３：ゴルフボール
【図１】
2006204721.tif 000003
【図２】
2006204721.tif 000004
【図３】
2006204721.tif 000005
【図４】
2006204721.tif 000006
【図５】
2006204721.tif 000007
【図６】
2006204721.tif 000008
【図７】
2006204721.tif 000009
【図８】
2006204721.tif 000010
【図９】
2006204721.tif 000011
【図１０】
2006204721.tif 000012
【図１１】
2006204721.tif 000013
【図１２】
2006204721.tif 000014